(57)【要約】【課題】  本発明は、人間が泳ぐ動作を見せて幼児を楽しませる玩具を提供する。【解決手段】  頭部101、胴部、左右の腕部210,220、左右の脚部260,270を有して人型に似せた玩具100であって、前記胴部の内側に設けた回転軸の両端に前記右腕部220及び前記左腕部210を有し、前記右腕部220の回転に連動して前記右脚部270の先端を往復動作させると共に前記左腕部210の回転に連動して前記左脚部260の先端を往復動作させるように、前記右腕部220と前記右脚部270が連結され且つ前記左腕部210と前記左脚部260が連結され、前記胴部の内部に前記回転軸を回転さえるゼンマイバネを内蔵して水面に浮かせることのできる水遊び玩具とする。【選択図】    図１
2014064626.tif 000002
【特許請求の範囲】
【請求項１】
頭部、胴部、左右の腕部、左右の脚部を有して人型に似せた玩具であって、
前記胴部の内側に設けた回転軸の両端に前記右腕部及び前記左腕部を有し、
前記右腕部の回転に連動して前記右脚部の先端を往復動作させると共に前記左腕部の回転に連動して前記左脚部の先端を往復動作させるように、前記右腕部と前記右脚部が連結され且つ前記左腕部と前記左脚部が連結され、
前記胴部の内部に前記回転軸を回転さえるゼンマイバネを内蔵して水面に浮かせることのできることを特徴とする水遊び玩具。
【請求項２】
前記頭部、前記胴部、前記左右の腕部、及び、前記左右の脚部は、比重が１よりも小さな合成樹脂により成形されていることを特徴とする請求項１に記載した水遊び玩具。
【請求項３】
前記右脚部は、前記左腕部に設けた偏心カムにより一端を往復動作させる揺動杆の他端が連結されて前記先端を往復動作させ、前記左脚部も前記左腕部に設けた偏心カムにより一端を往復動作させる揺動杆の他端が連結されて前記先端を往復動作させることを特徴とする請求項１または請求項２に記載した水遊び玩具。
【請求項４】
前記左右の腕部の内の一方の腕部は前記回転軸の一端に固定して回転軸と共に回転させ、他方の腕部は前記回転軸の他端に回転自在に取り付け、前記回転軸と一体に回転する回転板に設けた係合凹部と係合する係合突起を有して回転軸と共に回転することを特徴とする請求項１乃至請求項３の何れかに記載した水遊び玩具。
【請求項５】
前記ゼンマイバネを巻き上げるゼンマイツマミが腹部から突出し、前記ゼンマイツマミは比重が１よりも大きな部材により形成されていることを特徴とする請求項１乃至請求項４の何れかに記載した水遊び玩具。
【発明の詳細な説明】
【技術分野】
【０００１】
本発明は、水遊びを行う人形玩具に関するものである。
【背景技術】
【０００２】
今日、家庭の風呂や庭先等に設けたビニールプール等で水面を移動する玩具が使用されており、水面に浮く乗り物や動物の形を模した玩具に、電池やモーターを内蔵してスクリューを回転させる推進器を取り付けることにより移動可能とするものの他、キャラクタ形状のケース内に羽根車室を設けた玩具であって、羽根車室に吸い込んだ水をケースの外縁方向に噴出させて推進力を生じさせると共に羽根車室からケースの側方にも水を噴出させて遊ぶ玩具（例えば特許文献１）等も提案されている。
【先行技術文献】
【特許文献】
【０００３】
【特許文献１】特開２００７―２１１４８号公報
【発明の概要】
【発明が解決しようとする課題】
【０００４】
今日、乗り物や動物の形状を模して水面を移動させる玩具が種々提供されているも、幼児等により一層興味を持たせて面白く遊ぶことのできる水遊び玩具が要求されている。
【０００５】
本発明は、この様な要求に答え、人間が泳ぐ動作を見せて幼児を楽しませる玩具を提供することを目的としている。
【課題を解決するための手段】
【０００６】
本発明に係る水遊び玩具は、頭部、胴部、左右の腕部、左右の脚部を有して人型に似せた玩具であって、前記胴部の内側に設けた回転軸の両端に前記右腕部及び前記左腕部を有し、前記右腕部の回転に連動して前記右脚部の先端を往復動作させると共に前記左腕部の回転に連動して前記左脚部の先端を往復動作させるように、前記右腕部と前記右脚部が連結され且つ前記左腕部と前記左脚部が連結され、前記胴部の内部に前記回転軸を回転さえるゼンマイバネを内蔵して水面に浮かせることのできるものである。
【０００７】
そして、前記頭部、前記胴部、前記左右の腕部、及び、前記左右の脚部は、比重が１よりも小さな合成樹脂により成形されていることが望ましい。
【０００８】
また、前記右脚部は、前記左腕部に設けた偏心カムにより一端を往復動作させる揺動杆の他端が連結されて前記先端を往復動作させ、前記左脚部も前記左腕部に設けた偏心カムにより一端を往復動作させる揺動杆の他端が連結されて前記先端を往復動作させるものである。
【０００９】
更に、前記左右の腕部の内の一方の腕部は前記回転軸の一端に固定して回転軸と共に回転させ、他方の腕部は前記回転軸の他端に回転自在に取り付け、前記回転軸と一体に回転する回転板に設けた係合凹部と係合する係合突起を有して回転軸と共に回転するようにしたものである。
【００１０】
また、前記ゼンマイバネを巻き上げるゼンマイツマミが腹部から突出し、前記ゼンマイツマミは比重が１よりも大きな部材により形成されていることが望ましい。
【発明の効果】
【００１１】
本発明に係る水遊び玩具は、頭部、胴部、左右の腕部、左右の脚部を有して人型に似せた玩具であって、水面に浮かせて右腕部の回転に連動して右脚部の先端を往復動作させ、左腕部の回転に連動して左脚部の先端を往復動作させるため、人が泳いでいる状態を模して遊ぶことができる。
【００１２】
そして、この人形玩具の主要部分を比重が１よりも小さな樹脂を用いて形成しているため、容易に水に浮かせることができる。
【００１３】
また、右脚を右腕と揺動杆により連結し、左脚を左腕と揺動杆により連結しているため、脚先端の往復移動を手の旋回に容易に追従させることができる。
【００１４】
更に、腕の一方を回転軸に固定し、他方の腕を回転軸と一体に回転する回転板により回転させることとしたため、右腕と左腕の回転位置を変化させることができ、左右両腕の回転を半周期ずらし且つ左右両足の往復動作も半周期ずらしたクロールや、両腕を揃えて回転させると共に両足も揃えて往復動作させるバタフライを真似て泳ぐ水泳人形とすることができる。
【００１５】
そして、腹部から突出したゼンマイツマミの比重を１よりも大きくすれば、玩具の下方に重りを下げた状態として安定した動作をさせることができる。
【図面の簡単な説明】
【００１６】
【図１】本発明に係る水遊び玩具の外観斜視図。
【図２】本発明に係る水遊び玩具の内部構造を示す斜視図。
【図３】本発明に係る水遊び玩具の分解斜視図。
【図４】本発明に係る水遊び玩具の要部構造を示す図。
【図５】本発明に係る水遊び玩具の動作を説明する図。
【図６】本発明に係る水遊び玩具の動作を説明する図。
【図７】本発明に係る水遊び玩具の動作伝達機構を示す図。
【図８】本発明に係る水遊び玩具の状態を変化させた形状を示す外観斜視図。
【発明を実施するための形態】
【００１７】
本発明に係る水遊び玩具100は、図１に示すように、頭部101と、背カバー110及び腹部カバー130により形成した胴部と、この胴部の左右に設けた左腕に相当する第１腕部210及び右腕に相当する第２腕部220と、胴部の端部近くに設けた左脚に相当する第１脚部260及び右脚に相当する第２脚部270と、を有して人型に似せた玩具100である。
【００１８】
そして、第１腕部210及び第２腕部220を回転させ、また、第１脚部260及び第２脚部270は各々付け根部261,271を中心に揺動させ、水面に浮かせたとき、人が泳ぐ動作を模して水面を移動させることができる水遊び玩具100である。
【００１９】
この水遊び玩具100は、図２及び図３に示すように、腹部カバー130の内部にゼンマイバネを収納したスプリングギアボックス161が組み込まれ、歯車を介して第１腕部210及び第２腕部220を旋回させると共に、リンク機構を介して足先を上下に移動させる様に第１脚部260及び第２脚部270を揺動させるものである。
【００２０】
即ち、人間の胴部の腹部側前半部分を模した腹部カバー130を有し、腹部カバー130は、略平板状で矩形とした腹部板133と、腹部板133の一辺から立ち上げた胸部板131、また、腹部板133の対向する他の二辺から湾曲部を介して立ち上げて腹部板133から立ち上げた胸部板131の両端部に各々接続される前脇部板135を腹部板133の両側に有し、更に腹部板133の残る一辺から延設されて上方に湾曲する股部板141を有し、股部板141は腹部板133よりも幅を細くして両側に股側部板143を有し、股側部板143が腹部板133の両側に立設された前脇部板135に接続され、上方を開口した箱形状とされるものである。
【００２１】
そして、両前脇部板135の一部上端から上方に延設される板状の腕受部136を有し、両腕受部136の上端には半円形に窪む腕受凹部137が各々設けられ、両腕受凹部137は、後述する第１腕部210及び第２腕部220の各基部211,221に設けられる円形の腕支持部213,223を各々回転可能に支持するものである。
【００２２】
また、腹部カバー130の内側には、平板状の第１シャフト受板151と第２シャフト受板152が腹部板133から立設され、第１シャフト受板151及び第２シャフト受板152は上端に各々小半円形状に窪む回転軸受155と揺動軸受157が形成されている。
【００２３】
そして、腹部カバー130の股側部板143の上端には小半円形に窪む脚軸受145が形成されており、腹部カバー130側から挿入する固定ネジ119により腹部カバー130と背カバー110とを一体としたとき、後述する第１脚部260と第２脚部270とを両端に支持する脚支持軸269を股側部板143の脚軸受145により支持し、後述する第１腕部210と第２腕部220とを接続する回転軸171を第１シャフト受板151及び第２シャフト受板152に夫々設けた回転軸受155により支持し、また、後述する第１揺動杆240と第２揺動杆250を両端に支持する揺動軸247を揺動軸受157により支持するものである。
【００２４】
尚、腹部板133には、スプリングギアボックス161から突出するゼンマイシャフト165を貫通させる図示されていない穴が設けられている。
【００２５】
このスプリングギアボックス161は、ゼンマイバネと減速歯車列及びゼンマイシャフト逆転防止機構を内蔵し、ゼンマイツマミ167によりゼンマイバネを巻いたとき、ゼンマイバネの弾性復元力により減速歯車列を介してスプリングギアボックス161の上面に設けた駆動歯車163を一方向に回転させるものである。
【００２６】
また、腹部カバー130と固定ネジ119により一体とされる背カバー110は、略平板状で矩形の背部板111を有し、背部板111の一辺から斜め下方に延設される肩部板113を有すると共に、対向する他の二辺から下方に垂下する脇部板121を有し、残る一辺から延設されて下方に湾曲する背股部板125を有し、背股部板125は背部板111よりも幅を細くして両側に背股側部板127を有するものであり、肩部板113の略中央から円柱形状に突出する首部115を有するものある。
【００２７】
そして、この背カバー110と腹部カバー130は、肩部板113の下端が胸部板131の上端と、脇部板121の下端が前脇部板135の上端と、背股側部板127の下端が股側部板143の上端と、背股部板125の下端が股部板141の上端と係合されるものである。
【００２８】
更に、背カバー110の首部115には球形状とされる頭部101を固定可能とし、背カバー110の両側に設けられた脇部板121の一部には各々略半円形状に切り込まれた腕通し受部123が形成され、前脇部板135に設けられた腕受部136の腕受凹部137とこの腕通し受部123とにより厚肉円形の腕支持部213,223を各々回転可能に支持するものである。
【００２９】
そして、腕部の一方である左腕とする第１腕部210は、円柱状の基部211から延びる板状の腕本体部216と腕本体部216の先端を僅かに広くして手部217を有し、円柱状の基部211の一端には厚肉円板状の腕支持部213を有し、腕支持部213の中心位置に回転軸穴215を有すると共に回転軸穴215の位置から中心を外した円形とする厚肉円板状の偏心カム214を有するものである。
【００３０】
また、腕部の他方である右腕とする第２腕部220は、第１腕部210と同様に円柱形状の基部221から延設される腕本体部226及び手部227を有し、腕本体部226の一端に腕支持部223及び偏心カム224を有すると共に、基部221の他端に開口する円柱形状のキャップ穴231を備え、該キャップ穴231に腕押えバネ233と腕キャップ235を収納可能とし、図７に示すように、偏心カム224から更に突出する係合突起237を備えるものである。
【００３１】
そして、第１腕部210は、図２に示したように、回転軸171の一端を回転軸穴215に挿入して回転軸171と一体に回転可能とするものであるも、第２腕部220は、図示しない回転軸穴に回転軸171を挿入し、回転軸171の端部に腕キャップ235を固定することにより、第２腕部220の基部221が回転軸171から外れないようにして第２腕部220を回転軸171に対して回転自在に取り付けるものである。
【００３２】
この回転軸171は、腹部カバー130における第１シャフト受板151及び第２シャフト受板152に設けた回転軸受155に回転可能に支持されるものであり、一端が第１腕部210に固定される細棒状であって、他端近傍には冠歯車とされる受け歯車173と回転板180が固定されるものである。
【００３３】
この冠歯車とされた受け歯車173は、その軸部175が回転軸171に固定され、歯部174をスプリングギアボックス161の上面に突出する駆動歯車163と噛合させて回転軸171や回転板180を回転駆動させるものである。
【００３４】
また、回転板180は軸穴189に回転軸171を貫通させるものであって、薄肉円盤状の本体板181の一面から円筒状の回転板軸183を突出させ、受け歯車173の軸部175に形成された嵌合穴176に回転板軸183を挿入嵌合させて受け歯車173と一体化されることにより、受け歯車173と共に回転するものである。
【００３５】
そして、本体板181の回転板軸183と逆の面には、厚肉円板状の係合板185を有し、この係合板185には、１８０度方向が異なった対向位置に係合凹部を備えるものであり、この第１係合凹部186及び第２係合凹部187は第２腕部220の偏心カム224に設けた係合突起237が挿入係合可能とされるものである。
【００３６】
従って、例えば第２腕部220の係合突起237を回転板180の第１係合凹部186に係合させると、図１及び図２に示したように、第２腕部220を第１腕部210と回転軸171を中心に１８０度ずらせた状態とし、スプリングギアボックス161の駆動歯車163の回転により第１腕部210と第２腕部220とを共に回転軸171の回転によって旋回させることができる。
【００３７】
更に、腕押えバネ233を圧縮させるように第２腕部220の基部221を指で摘んで外側に引き出して係合突起237と第１係合凹部186との係合を外し、第２腕部220を１８０度回転させて第２腕部220を指から離すと、第２腕部220は腕押えバネ233の弾性力により内側に移動し、係合突起237を第２係合凹部187と係合させて回転軸171の回転に合わせた旋回回転を可能とすることができる。
【００３８】
従って、係合突起237を第２係合凹部187に係合させたときは、図８に示すように、両腕を同じ回転位置として回転させることができる。
【００３９】
そして、左右の脚部とする第１脚部260及び第２脚部270は、互いに対称形状とされるものであって、細棒状の脚支持軸269の両端に脚支持軸269に対して回動可能に固定するものであり、第１脚部260及び第２脚部270の各一端である付け根部261,271に各々脚軸穴263,273を有すると共に、ピン受穴266,276を備えた板状の突出部265,275を各々有し、第１脚部260及び第２脚部270の他端を各々足先部267,277としているものである。
【００４０】
更に、この水遊び玩具100は、腹部内に第１脚部260と第１腕部210を接続する第１揺動杆240、第２脚部270と第２腕部220とを接続する第２揺動杆250を有するものであり、第１揺動杆240及び第２揺動杆250は共に対称形状又は同一形状とされるものであって、板状の各杆本体部の一端にカム穴241,251を、他端の側部には短棒状に突出する揺動ピン245,255を有し、略中央側部に揺動軸穴243,253を有するものである。
【００４１】
そして、カム穴241,251は長円形形状とされ、カム穴241,251の短軸長さを第１腕部210や第２腕部220の偏心カム214,224の直径に合わせ、各カム穴241,251に偏心カム214,224が挿入されるものであり、偏心カム214,224が回転軸171の回転により回転したとき、第１揺動杆240及び第２揺動杆250は、各々揺動軸穴243,253を揺動中心としてカム穴側の端部を上下方向に移動させるものである。
【００４２】
また、第１揺動杆240及び第２揺動杆250の各揺動ピン245,255は、第１脚部260及び第２脚部270の各突出部265,275に設けたピン受穴266,276に各々挿入されるものであり、ピン受穴266,276も長円形の長穴とされて第１揺動杆240及び第２揺動杆250が各々揺動軸穴243,253を中心に揺動するとき、揺動ピン245,255の上下移動に合わせて第１脚部260及び第２脚部270の各脚軸穴263,273を揺動中心としてピン受穴266,276を備えた突出部265,275を上下移動させる様に揺動させるものである。
【００４３】
従って、図２及び図４に示すように駆動歯車163が受け歯車173と噛合し、偏心カム214,224がカム穴241,251に挿入され、揺動ピン245,255がピン受穴266,276に挿入された状態でゼンマイツマミ167を回転させてスプリングギアボックス161のゼンマイバネを巻き上げると、駆動歯車163の回転により受け歯車173及び回転軸171が回転し、回転軸171の一端に固定された第１腕部210が回転すると共に、回転板180の第１係合凹部186に係合突起237を係合させた第２腕部220も回転する。
【００４４】
そして、第１腕部210の偏心カム214がカム穴241に挿入された第１揺動杆240は、図５及び図６に示すように、回転軸171を中心に回転する第１腕部210や偏心カム214の回転によって揺動軸247を中心にカム穴241を上下移動させ、合わせて揺動ピン245を上下に移動させることになる。
【００４５】
また、第１揺動杆240の揺動ピン245の上下移動に合わせて、揺動ピン245が挿入されるピン受穴266を備えた突出部265を有する第１脚部260も、脚支持軸269を中心に足先部267を上下させるように揺動する。
【００４６】
尚、第１揺動杆240と対称形状とされた第２揺動杆250により、第１脚部260と対称形状とされた第２脚部270が第２腕部220と接続されており、第２腕部220の回転に合わせて第２脚部270も脚支持軸269を中心に足先部277を上下移動させるように揺動する。
【００４７】
このため、第１脚部260及び第２脚部270は、各々脚支持軸269を中心として足先部267,277を各々上下に移動させる様にして第１脚部260及び第２脚部270を揺動させることになる。
【００４８】
また、図５の（ｂ）に示すように第１腕部210を下として偏心カム214が挿入される第１揺動杆240のカム穴241が最上方位置となるとき、第２腕部220は上方に位置して第２腕部220と第２脚部270とを接続する第２揺動杆250のカム穴251は最下方に位置し、図１に示したように第１腕部210と第２腕部220とを１８０度変化させているときは、第１脚部260と第２脚部270の一方の足先部267を最上方点とするときに他方の足先部277を最下方点として第１脚部260と第２脚部270の各足先部267,277を上下に移動させ、あたかもクロール泳ぎの如き動作をすることになる。
【００４９】
そして、第２腕部220を引き出して１８０度回転させ、係合突起237を回転板180の第２係合凹部187に係合させたときは、図８に示すように第１腕部210と第２腕部220とを同一旋回位置とし、例えば第１腕部210を下方として第１揺動杆240のカム穴241が最上方位置となるとき、第２腕部220に接続される第２揺動杆250もカム穴251を最上方位置とすることとなり、第１揺動杆240と第２揺動杆250の揺動周期を一致させ、第１脚部260と第２脚部270も両足先部267,277を揃えるようにして上下移動させることができる。
【００５０】
従って、第２腕部220の係合突起237を回転板180の第２係合凹部187に係合させたときは、両手の旋回や両足の上下動が一致したバタフライの如き泳ぎをさせることができる。
【００５１】
尚、上記実施例は、クロールとバタフライとを切り替え可能としているも、回転板180を用いることなく、左右の腕部とする第１腕部210及び第２腕部220を回転軸171に固定し、クロールのみ、またはバタフライのみの泳ぎをさせるようにする場合や、第１腕部210を右腕に、第２腕部220を左腕に相当させるなどにより左右や前後を入れ替えるように手、足、顔の描き方などを変えてバック（背泳ぎ）をまねる動作を行わせることもできる。
【００５２】
更に、頭部101は発泡樹脂系の合成樹脂として比重を極めて軽くし、第１腕部210と第２腕部220、第１脚部260と第２脚部270、腹部カバー130、背カバー110は比重が約０．９程度のポリエチレン樹脂として水遊び玩具100を水面に浮かせるようにしている。
【００５３】
従って、人型とした水遊び玩具100の脚部や胴部を水密構造とすることなく玩具100自体を水に浮きやすくし、容易に小型の水遊び玩具100を製造することができると共に、小人と遊ぶ感覚で楽しく遊ぶことのできる水遊び玩具100とすることができる。
【００５４】
また、ゼンマイツマミ167はポリアセタール重合体など、比重が１．５程度の樹脂を用いてバンラサーとし、腹部板133から突出するゼンマイシャフトの重さと合わせて、腕部や脚部を動作させたときに安定した状態で水遊び玩具100を水面で移動させることができるようにしているものである。
【００５５】
尚、背カバー110の内側には、略気密とする空間部を形成し、または、発泡樹脂のブロックを取り付けることにより、水遊び玩具100の背カバー110が一層確実に浮くようにすることもあり、この場合は、腕部や脚部、胴部を形成する樹脂として、比重を必ずしも１よりも小さな樹脂に限る必要はない。
【００５６】
また、上記実施の形態は、回転板180における係合板185に第１係合凹部186及び第２係合凹部187を設けて第２腕部220の偏心カム224に設けた係合突起237と係合させているも、係合板185の側面から係合突起を突出させ、第２腕部220の偏心カム224又は腕支持部223に係合穴を２個設けるようにして回転板180の回転を第２腕部220に伝達することもある。
【００５７】
更に、上記実施の形態は、第１腕部210を回転軸171の端部に固定して回転軸171と共に回転させ、第２腕部220は、回転板180の係合凹部と係着可能な係合突起237を第１係合凹部186又は第２係合凹部187に係合させて回転軸171と共に回転するようにしているも、回転板180を省略し、第１腕部210の回転軸穴215に回転軸171の端部を挿入して固定し、第２腕部220の回転軸穴にも回転軸171の他端部を挿入して固定し、第１腕部210と第２腕部220とを逆方向に回転させるように強く力を加えた場合に第１腕部210と第２腕部220の回転軸171に対する取り付け角がずれるように、第１腕部210及び第２腕部220を回転軸171の各端部に嵌合固定することもできる。
【００５８】
尤も、第１腕部210及び第２腕部220を共に回転軸171の端部に嵌合固定することなく、第１係合凹部186及び第２係合凹部187を有する回転板180や腕押えバネ233を設けた上記実施の形態では、第１腕部210と第２腕部220とを同一回転位置とすることや、回転位相を１８０度だけずらせることを容易且つ確実に行うことができる。
【産業上の利用可能性】
【００５９】
本発明に係る水遊び玩具100は、人型に似せた玩具100であって、水面に浮かせて第１腕部210の回転に連動して第１脚部260の先端を往復動作させ、第２腕部220の回転に連動して第２脚部270の先端を往復動作させるため、クロールやバタフライを真似た動作をさせて人が泳いでいる状態を模して遊ぶことができるものである。
【符号の説明】
【００６０】
１００  水遊び玩具
１０１  頭部
１１０  背カバー                      １１１  背部板
１１３  肩部板                        １１５  首部
１１９  固定ネジ                      １２１  脇部板
１２３  腕通し受部                    １２５  背股部板
１２７  背股側部板
１３０  腹部カバー                    １３１  胸部板
１３３  腹部板                        １３５  前脇部板
１３６  腕受部                        １３７  腕受凹部
１４１  股部板                        １４３  股側部板
１４５  脚軸受                      
１５１  第１シャフト受板              １５２  第２シャフト受板
１５５  回転軸受                      １５７  揺動軸受
１６１  スプリングギアボックス        １６３  駆動歯車
１６５  ゼンマイシャフト              １６７  ゼンマイツマミ
１７１  回転軸                        １７３  受け歯車
１７４  歯部                          １７５  軸部
１７６  嵌合穴
１８０  回転板                        １８１  本体板
１８３  回転板軸                      １８５  係合板
１８６  第１係合凹部                  １８７  第２係合凹部
１８９  軸穴
２１０  第１腕部                      ２１１  基部
２１３  腕支持部                      ２１４  偏心カム
２１５  回転軸穴                      ２１６  腕本体部
２１７  手部
２２０  第２腕部                      ２２１  基部
２２３  腕支持部                      ２２４  偏心カム
２２６  腕本体部                      ２２７  手部
２３１  キャップ穴                    ２３３  腕押えバネ
２３５  腕キャップ                    ２３７  係合突起
２４０  第１揺動杆                    ２４１  カム穴
２４３  揺動軸穴                      ２４５  揺動ピン
２４７  揺動軸
２５０  第２揺動杆                    ２５１  カム穴
２５３  揺動軸穴                      ２５５  揺動ピン
２６０  第１脚部                      ２６１  付け根部
２６３  脚軸穴                        ２６５  突出部
２６６  ピン受穴                      ２６７  足先部
２６９  脚支持軸
２７０  第２脚部                      ２７１  付け根部
２７３  脚軸穴                        ２７５  突出部
２７６  ピン受穴                      ２７７  足先部
【図１】
2014064626.tif 000003
【図２】
2014064626.tif 000004
【図３】
2014064626.tif 000005
【図４】
2014064626.tif 000006
【図５】
2014064626.tif 000007
【図６】
2014064626.tif 000008
【図７】
2014064626.tif 000009
【図８】
2014064626.tif 000010
【手続補正書】
【提出日】平成25年9月13日(2013.9.13)
【手続補正１】
【補正対象書類名】特許請求の範囲
【補正対象項目名】請求項３
【補正方法】変更
【補正の内容】
【請求項３】
前記右脚部は、前記右腕部に設けた偏心カムにより一端を往復動作させる揺動杆の他端が連結されて前記先端を往復動作させ、前記左脚部も前記左腕部に設けた偏心カムにより一端を往復動作させる揺動杆の他端が連結されて前記先端を往復動作させることを特徴とする請求項１または請求項２に記載した水遊び玩具。
【手続補正２】
【補正対象書類名】明細書
【補正対象項目名】０００８
【補正方法】変更
【補正の内容】
【０００８】
また、前記右脚部は、前記右腕部に設けた偏心カムにより一端を往復動作させる揺動杆の他端が連結されて前記先端を往復動作させ、前記左脚部も前記左腕部に設けた偏心カムにより一端を往復動作させる揺動杆の他端が連結されて前記先端を往復動作させるものである。